(57)【要約】  直視型照明器具において混合された光を生成する方法及び装置が提供される。該照明器具は、組み合わせで複数の異なるカラーの光を発生するように構成された複数の光源１３２と、第１光混合室１１０と、少なくとも１つの開口１３４を介して上記第１光混合室と光が通じる少なくとも１つの第２光混合室１２０とを含む。少なくとも１つの直視可能な光出射面１１２が、上記第１光混合室に結合されている。前記光源は第２光混合室に格納され、該第２光混合室は該光源から放出された光が上記光出射面に直接当たることを防止するように構成される。上記第１光混合室及び光出射面は、上記光源から放出された光を、上記光出射窓を出射する全光が輝度及びカラーに関して実質的に均一となるように混合するよう構成される。
2014533876.tif 000002
【特許請求の範囲】
【請求項１】
組み合わせで複数の異なるカラーの光を発生する複数の光源と、
前記複数の異なるカラーの光を混合する第１室と、
前記第１室に結合され、前記光源から放出された光を更に混合する少なくとも１つの光出射面と、
前記複数の光源を格納すると共に少なくとも１つの壁及び前記第１室と連通する開口を有する第２室であって、前記少なくとも１つの壁は前記複数の光源から放出された光が前記少なくとも１つの光出射面に直接当たるのを防止し、前記開口は前記複数の光源から放出された光が該開口を介して前記第２室から前記第１室へ進行するのを可能にする第２室と、
を有する照明器具であって、
前記第１室及び前記少なくとも１つの光出射面が、一緒になって、前記複数の光源から放出された光を前記少なくとも１つの光出射面を出射する全ての光が輝度及び／又はカラーに関して実質的に均一になるように混合する、
照明器具。
【請求項２】
前記少なくとも１つの光出射面が少なくとも１つの直接見える面を含む、請求項１に記載の照明器具。
【請求項３】
前記少なくとも１つの光出射面が少なくとも１つの透過性拡散面を含む、請求項１に記載の照明器具。
【請求項４】
前記第２室が前記複数の光源から放出された光を混合する、請求項１に記載の照明器具。
【請求項５】
前記第１室が少なくとも１つの光反射面を含む、請求項１に記載の照明器具。
【請求項６】
前記少なくとも１つの光反射面が少なくとも１つの反射性拡散面を含む、請求項５に記載の照明器具。
【請求項７】
前記少なくとも１つの光反射面が、前記複数の光源から放出された光の少なくとも一部を前記少なくとも１つの光出射面に向かって反射する、請求項５に記載の照明器具。
【請求項８】
前記少なくとも１つの光反射面が少なくとも１つの第１光反射面であり、前記第２室が少なくとも１つの第２光反射面を含む、請求項７に記載の照明器具。
【請求項９】
前記複数の光源から放出された光の前記一部は前記複数の光源から放出された光の第１部分であり、
前記少なくとも１つの第２光反射面は、前記複数の光源から放出された光のうちの前記第１部分とは異なる少なくとも第２部分を前記少なくとも１つの第１光反射面に向かって反射する、請求項８に記載の照明器具。
【請求項１０】
前記少なくとも１つの第１光反射面が入射光反射点を含み、
前記少なくとも１つの第２光反射面が前記光の第２部分を前記入射光反射点に向かって、前記光の第１部分及び第２部分が共に前記第１反射面により前記入射光反射点から同一方向に前記少なくとも１つの光出射面に向かって反射されるように反射する、請求項９に記載の照明器具。
【請求項１１】
前記開口内に配置されたレンズ、プリズム、鏡面反射器及び光拡散器の少なくとも１つを含む、請求項１に記載の照明器具。
【請求項１２】
前記第１室内において前記開口と前記少なくとも１つの光出射面との間に配置された透過性光拡散器を更に有する、請求項１に記載の照明器具。
【請求項１３】
前記複数の光源が少なくとも１つの発光ダイオード（ＬＥＤ）を含む、請求項１に記載の照明器具。
【請求項１４】
前記複数の光源が第１の複数の光源であり、
当該照明器具が、前記第１室と光を通じると共に第２の複数の光源を格納した第３室を更に有する、請求項１に記載の照明器具。
【請求項１５】
前記第１の複数の光源は第１組のカラーの光を発生し、前記第２の複数の光源は前記第１組のカラーとは異なる第２組のカラーの光を発生し、前記第１組のカラーと前記第２組のカラーとの組み合わせが前記複数の異なるカラーの光を形成する、請求項１４に記載の照明器具。
【請求項１６】
前記第１組のカラーの光は第１の単一のカラーの光であり、
前記第２組のカラーの光は第２の単一のカラーの光である、
請求項１５に記載の照明器具。
【請求項１７】
前記複数の光源が第１の複数の光源であり、
当該照明器具が、前記第１の複数の光源を含む第１の多チャンネル照明ユニット、第２の複数の光源を含む第２の多チャンネル照明ユニット、及び前記第１室と光を通じると共に前記第２の多チャンネル照明ユニットを格納した第３室を更に有する、
請求項１に記載の照明器具。
【請求項１８】
複数の光源と、第１室と、前記複数の光源を格納すると共に前記該第１室と連通する開口及び少なくとも１つの壁を有する第２室と、前記第１室に結合された少なくとも１つの光出射面とを有する照明器具を用いて照明を生じさせる方法であって、
前記第２室内で複数の異なるカラーの光を発生させるステップと、
前記開口を、前記複数の光源から放出された光が該開口を介して前記第２室から前記第１室へと進行するのを可能にするように構成するステップと、
前記複数の光源から放出された光が前記少なくとも１つの光出射面に直接当たることを前記少なくとも１つの壁を用いて阻止するステップと、
前記複数の異なるカラーの光を、前記第１室及び前記少なくとも１つの光出射面を組み合わせで用いて、該少なくとも１つの光出射面を出射する全ての光が輝度及び／又はカラーに関して実質的に均一になるように、混合するステップと、
を有する方法。
【請求項１９】
前記照明器具を前記少なくとも１つの光出射面が直接見えるように構成するステップを更に有する、請求項１８に記載の方法。
【請求項２０】
前記複数の異なるカラーの光を混合するステップが、前記複数の光源から放出された光を該光が前記少なくとも１つの光出射面に当たる前に拡散させるステップを含む、請求項１８に記載の方法。
【請求項２１】
前記複数の光源から放出された光の少なくとも一部を、前記第２室を用いて混合させるステップを更に有する、請求項１８に記載の方法。
【請求項２２】
前記照明器具が前記第１室内に配置された少なくとも１つの光反射面を更に含み、当該方法が前記複数の光源から放出された光を該光が前記少なくとも１つの光反射面に当たる前に前記第２室を用いて拡散させるステップを更に有する、請求項１８に記載の方法。
【請求項２３】
前記少なくとも１つの光反射面が入射光反射点を含み、
当該方法が、前記少なくとも１つの光反射面を、前記複数の光源から放出された光の第１部分及び前記複数の光源から放出された光の該第１部分とは異なる第２部分が前記入射光反射点から同一方向に前記少なくとも１つの光出射面に向かって反射されるように配置するステップを更に有する、
請求項２２に記載の方法。
【請求項２４】
前記照明器具が発光ダイオード（ＬＥＤ）に基づく多チャンネル照明ユニットを更に含み、
前記複数の異なるカラーの光を発生させるステップが、該複数の異なるカラーの光を前記ＬＥＤに基づく多チャンネル照明ユニットを用いて発生するステップを含む、
請求項１８に記載の方法。
【請求項２５】
組み合わせで複数の異なるカラーの光を発生する複数の光源と、
第１室と、
該第１室に結合された少なくとも１つの直視型光出射面と、
前記複数の光源を格納すると共に前記第１室と連通する開口を有する第２室であって、前記開口が前記複数の光源から放出された光が該開口を介して当該第２室から前記第１室へと進行することを可能にする第２室と、
前記複数の光源から放出された光を、前記少なくとも１つの光出射面を出射する全ての光が輝度及び／又はカラーに関して実質的に均一になるように混合する手段と、
を有する、照明器具。
【請求項２６】
前記第２室が、前記複数の光源から放出された光が前記少なくとも１つの光出射面に直接当たることを防止する少なくとも１つの壁を有する、請求項２５に記載の照明器具。
【請求項２７】
前記光を混合する手段が、少なくとも１つの反射性拡散器及び少なくとも１つの透過性拡散器を含む、請求項２５に記載の照明器具。
【請求項２８】
前記少なくとも１つの反射性拡散器が前記第１室内に配置される、請求項２７に記載の照明器具。
【請求項２９】
前記少なくとも１つの透過性拡散器が前記少なくとも１つの光出射面に含まれる、請求項２７に記載の照明器具。
【請求項３０】
前記少なくとも１つの透過性拡散器が前記第１室内に配置される、請求項２７に記載の照明器具。
【請求項３１】
前記複数の光源を含む発光ダイオード（ＬＥＤ）に基づく多チャンネル照明ユニットを更に有する、請求項２５に記載の照明器具。
【発明の詳細な説明】
【技術分野】
【０００１】
［０００１］本発明は、広くは、ＬＥＤ光源により混合された光を供給する装置及び方法に関する。更に詳細には、ここに開示される種々の発明的方法及び装置は、カラー混合ＬＥＤ照明器具からの輝度及びカラーが実質的に均一な光の発生に関する。
【背景技術】
【０００２】
［０００２］デジタル照明技術、即ち発光ダイオード（ＬＥＤ）等の半導体光源に基づく照明は、伝統的な蛍光灯、ＨＩＤ及び白熱電球に対する発展性のある代替を提供している。ＬＥＤの機能的利点及び利益は、高いエネルギ変換及び光学効率、耐久性、低運転コスト並びに多くの他のものを含む。ＬＥＤ技術における近年の進歩は、多くの用途において種々の照明効果を可能にするような効率的且つ丈夫な全スペクトル光源を提供している。これらの光源を実施化した照明器具の幾つかは、例えば赤、緑及び青等の異なる色（カラー）を生成することが可能な１以上のＬＥＤ並びに斯かるＬＥＤの出力を独立に制御して種々のカラー及び色変化照明効果を発生させるプロセッサを含む照明モジュール（例えば、米国特許第6,016,038号及び同第6,211,626号に詳細に説明されており、これら文献は参照により本明細書に組み込まれるものとする）を特徴としている。
【０００３】
［０００３］特定のカラー点及び色温度で光を生成することが可能な１以上のＬＥＤを具現化する多くの照明用固定具（又は“照明器具”）においては、光出力が当該ＬＥＤ照明器具を出射する前に斯かるＬＥＤの光出力を適切に混合することが望ましい。ＬＥＤの適切な混合は、当該照明器具の光出力における如何なる望ましくない色不均一の存在も低減し得ると共に、一層望ましい光出力特性をもたらし得る。混合解決策を実施する場合、多くの照明器具は、複数の大きな混合室を採用し、及び／又は単一の平面光出射口からのみ照明を供給する。このような構成は、望ましくないほど大きな混合解決策となり、及び／又は限られた用途の混合解決策となってしまう。
【０００４】
［０００４］また、遠隔場においてＬＥＤ光源からの光を混合するために、即ち遠隔表面を均一な輝度又はカラーを持つ光により照明するために開発された種々の技術は、直視型照明器具のカラー混合、均一性又は点灯時外観（点灯時の見え方）に満足に対処していない。即ち、直視型照明器具の１つの重要な特性は、光を放出する面の均一な見え方である。均一な見え方とは、光に緑がかった若しくはピンクがかったスポット等のカラーの変化又は明るい若しくは暗い領域が存在しない見え方である。好ましくは、観察者が、単に当該照明器具を見るだけで個々の光源（又は光源の列）を区別することができ、又は個々のカラー（例えば、赤、緑又は青）を見分けることができてはならない。
【０００５】
［０００５］建築家及び照明設計者は審美的アピールのために照明器具上の個々の明るいスポット及び色変化を必死に目立たなくしようとするため、カラーの均一性は重要である。例えば、照明器具はホタテ貝効果（scalloping effects）及び直接的グレアを隠すために凹部内に（又は、壁から遠い距離に）設置され得る。壁上に均一なカラーを生成する製品の価値は、当該照明器具が他の技術を用いて隠蔽されるべき目立ったカラー又は輝度の不均一性を呈する場合には大きく減少される。
【０００６】
［０００６］明器具に使用されるカラーＬＥＤ光源の個別的性質は、直視型ＬＥＤ照明器具にとり均一な輝度及びカラーを供給することを一層困難にさせる。従来の方法は、見え方の均一性を達成しようとして、しばしば、例えば二次レンズ等の追加のハードウェアを採用している。しかしながら、これらの方法は、望ましい光出力特性及び審美的魅力を有する照明器具を提供するものではない。
【発明の概要】
【発明が解決しようとする課題】
【０００７】
［０００７］このように、当業分野においては、その発光面が二次レンズ又は他の技術を用いることなく輝度及びカラーに関して実質的に均一に見えると共に、既存の混合解決策の１以上の欠点をオプション的に克服することができる、複数のＬＥＤからの光出力の満足の行く混合を生じるＬＥＤ直視型照明器具を提供する必要性が存在する。
【課題を解決するための手段】
【０００８】
［０００８］本開示は、直視型照明器具において輝度及びカラーが実質的に均一な混合光を生成する発明的方法及び装置に向けられたものである。出願人は、直視型照明器具の発光面の均一性は混合室の組み合わせを採用することにより改善され得ることを認識及び理解した。一実施態様において、照明器具は、組み合わせで複数の異なるカラーの光を発生するように構成された（例えば、複数グループの異なるカラーＬＥＤを用いて）複数の光源を含む。該照明器具は、更に、第１光混合室と、該第１光混合室と光が通じる１以上の第２光混合室とを含む。例えば、１以上の小さな光混合室が、大きな光混合室と光を通じることができる。この例においては、少なくとも１つの直接見ることができる光出射面が上記大きな光混合室に結合される。前記光源は上記小さな光混合室（又は複数の光混合室）に格納され、該小さな光混合室は当該光源から放出された光が上記光出射面（又は複数の光出射面）に直接当たるのを防止するように構成される。光は、上記小さな光混合室（又は複数の光混合室）から開口（又は複数の開口）を介して上記大きな光混合室を照明するように進行する。該大きな光混合室及び上記光出射面（又は複数の光出射面）は、上記光源から放出された光を、該光出射面（又は複数の光出射面）を出射する全光が輝度及びカラーに関して実質的に均一になるように混合するよう構成される。
【０００９】
［０００９］一態様において、照明器具は、組み合わせで複数の異なるカラーの光を発生するように構成された複数の光源と、前記複数の異なるカラーの光を混合するように構成された第１室（チェンバ）と、該第１室に結合されると共に上記光源から放出された光を更に混合するように構成された少なくとも１つの光出射面と、上記光源を格納すると共に、少なくとも１つの壁及び上記第１室と連通する開口を有する第２室とを概して含む。上記壁は、上記光源から放出された光が上記光出射面に直接当たるのを防止するように構成される。上記開口は、上記光源から放出された光が該開口を介して上記第２室から上記第１室へと進行するのを可能にするように構成される。上記第１室及び光出射面は、一緒になって、上記光源から放出された光を上記少なくとも１つの光出射面を出射する全ての光が輝度及びカラーに関して実質的に均一になるように混合するよう構成される。
【００１０】
［００１０］幾つかの実施態様において、前記光出射面は少なくとも１つの直接見える面を含む。少なくとも１つの実施態様において、該光出射面は少なくとも１つの透過性拡散面を含む。
【００１１】
［００１１］幾つかの実施態様において、前記第１室は少なくとも１つの光反射面を含む。少なくとも１つの実施態様において、該光反射面は前記光源からの光の少なくとも一部を前記少なくとも１つの光出射面に向かって拡散的に反射するように構成される。少なくとも１つの実施態様において、上記第１室は光を、幾つかの異なるカラーの光が当該光出射面に到達する前に重なり合うように混合するよう構成される。
【００１２】
［００１２］幾つかの実施態様において、前記照明器具は前記開口内に配置されたレンズ、プリズム、鏡面反射器及び／又は光拡散器を含む。少なくとも１つの実施態様において、該照明器具は、前記開口と前記光出射面との間の第１室内に配置された透過性光拡散器を含む。
【００１３】
［００１３］他の態様において、第１室と該第１室に結合されると共に複数の光源を格納した第２室とを有する照明器具を用いて照明を生じさせる方法は、上記第２室内で複数の異なるカラーの光を発生させるステップと、上記第１室と第２室との間の開口を、上記光源から放出された光が該開口を介して上記第２室から第１室へと進行され得るように構成するステップと、上記光源から放出された光が光出射面に直接当たることを少なくとも１つの壁を用いて阻止するステップと、上記複数の異なるカラーの光を、上記第１室及び光出射面を組み合わせで用いて、該光出射面を出射する全ての光が輝度及びカラーに関して実質的に均一になるように混合するステップと、を含む。少なくとも１つの実施態様において、上記光出射面は直接見ることができる。
【００１４】
［００１４］幾つかの実施態様において、前記複数の異なるカラーの光を混合するステップは、前記光源から放出された光を少なくとも１つの光出射面に当たる前に拡散させるステップを含む。少なくとも１つの実施態様において、当該方法は前記光源から放出された光の少なくとも一部を、前記第２室を用いて混合させるステップを更に含む。
【００１５】
［００１５］更に他の態様において、照明器具は、組み合わせで複数の異なるカラーの光を発生するように構成された複数の光源と、第１室と、該第１室に結合された少なくとも１つの直視型光出射面と、上記光源を格納すると共に上記第１室と連通する開口を有する第２室であって、上記開口が上記光源から放出された光が該開口を介して当該第２室から上記第１室へと進行することを可能にする第２室と、上記光源から放出された光を少なくとも１つの光出射面を出射する全ての光が輝度及びカラーに関して実質的に均一になるように混合する手段とを含む。
【００１６】
［００１６］幾つかの実施態様において、前記光を混合する手段は少なくとも１つの反射性拡散器及び少なくとも１つの透過性拡散器を含む。
【００１７】
［００１７］本開示の目的のために本明細書で使用される場合、“ＬＥＤ”なる用語は、如何なる発光（エレクトロルミネッセント）ダイオード又は電気信号に応答して放射を発生することが可能な他のタイプの電荷注入／接合型システムをも含むものと理解されるべきである。従って、ＬＥＤなる用語は、これらに限定されるものではないが、電流に応答して光を放出する種々の半導体型構造体、発光ポリマ、有機発光ダイオード（ＯＬＥＤ）、エレクトロルミネッセント・ストリップ等を含む。特に、ＬＥＤなる用語は、赤外スペクトル、紫外スペクトル及び可視スペクトルの種々の部分（通常、約４００ナノメートルから約７００ナノメートルまでの放射波長を含む）の１以上において放射を発生するように構成することができる全てのタイプの発光ダイオード（半導体及び有機発光ダイオードを含む）を指す。ＬＥＤの幾つかの例は、これらに限定されるものではないが、種々のタイプの赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含む（後に更に説明する）。また、ＬＥＤは所与のスペクトル（例えば、狭い帯域幅、広い帯域幅）に対して種々の帯域幅（例えば、半値全幅又はＦＷＨＭ）及び所与の一般色分類内で種々の優勢波長を持つ放射を発生するよう構成及び／又は制御することができると理解されるべきである。
【００１８】
［００１８］例えば、実質的に白色光を発生するように構成されたＬＥＤ（例えば、白色ＬＥＤ）の一構成例は、組み合わせで実質的に白色光を形成するように混ざり合うような、異なるスペクトルのエレクトロルミネッセンスを各々放出する複数のダイを含むことができる。他の構成例では、白色光ＬＥＤは、第１スペクトルを持つエレクトロルミネッセンスを別の第２のスペクトルに変換する蛍光体材料に関連され得る。この構成の一例において、相対的に短い波長及び狭い帯域幅のスペクトルを持つエレクトロルミネッセンスは上記蛍光体材料を“ポンピング”し、該蛍光体材料は幾らか広いスペクトルを持つ一層長い波長の放射を放出する。
【００１９】
［００１９］また、ＬＥＤなる用語はＬＥＤの物理的及び／又は電気的パッケージのタイプを限定するものではないと理解されるべきである。例えば、ＬＥＤは、前述したように異なるスペクトルの放射を各々放出するように構成された複数のダイ（例えば、個別に制御することが可能であるか又は可能でない）を有する単一の発光デバイスを指し得る。また、ＬＥＤは、当該ＬＥＤの一体部分と見なされる蛍光体と関連され得る（例えば、幾つかのタイプの白色ＬＥＤ）。一般的に、ＬＥＤなる用語は、パッケージ化ＬＥＤ、非パッケージ化ＬＥＤ、表面実装ＬＥＤ、チップオンボードＬＥＤ、Ｔパッケージ実装ＬＥＤ、ラジアルパッケージＬＥＤ、電力パッケージＬＥＤ、何らかのタイプのケース及び／又は光学素子（例えば、拡散レンズ）を含むＬＥＤ等を指すことができる。
【００２０】
［００２０］“光源”なる用語は、これらに限定されるものではないが、ＬＥＤ型光源（先に定義したような1以上のＬＥＤを含む）、白熱光源（例えば、フィラメント電球、ハロゲン電球等）、蛍光光源、燐光光源、高輝度放電光源（例えば、ナトリウム蒸気、水銀蒸気及び金属ハライド電球）、レーザ、他のタイプのエレクトロルミネッセント光源、熱発光光源（例えば、炎）、キャンドル発光光源（例えば、ガスマントル、炭素アーク放射光源）、光ルミネッセント光源（例えば、ガス放電光源）、電子飽和を使用するカソード発光光源、電流発光光源、結晶発光光源、キネ発光光源、熱発光光源、摩擦発光光源、音発光光源、電波発光光源及び発光ポリマを含む種々の放射光源の何れか1以上を指すと理解されたい。
【００２１】
［００２１］所与の光源は、可視スペクトル内、可視スペクトル外、又はこれら両方の組み合わせで電磁放射を発生するように構成することができる。従って、“光”及び“放射”なる用語は、ここでは入れ替え可能に使用される。更に、光源は、一体部品として、1以上のフィルタ（例えば、カラーフィルタ）、レンズ又は他の光学部品を含むことができる。また、光源は、これらに限定されるものではないが指示、表示及び／又は照明を含む種々の用途のために構成することができると理解されるべきである。“照明光源”は、内部又は外部空間を効果的に照明するために十分な輝度を持つ放射を発生するように特別に構成された光源である。この点において、“十分な輝度”とは、周囲照明（即ち、間接的に知覚され得ると共に、例えば全体的に又は部分的に知覚される前に1以上の種々の介在表面から反射され得る光）を形成するために空間又は環境において発生される可視スペクトルにおける十分な放射パワーを指す（放射パワー又は“光束”に関しては、しばしば、“ルーメン”なる単位が光源から全方向への全光出力を表すために使用される）。
【００２２】
［００２２］“スペクトル”なる用語は、１以上の光源により生成された放射の何れか１以上の周波数（又は波長）を指すものと理解されたい。従って、“スペクトル”なる用語は、可視範囲における周波数（又は波長）のみならず、赤外、紫外及び全体の電磁スペクトルの他の領域における周波数（又は波長）をも指す。また、或るスペクトルは、相対的に狭い帯域幅（例えば、実質的に僅かな周波数又は波長成分しか有さないＦＷＨＭ）又は相対的に広い帯域幅（種々の相対強度を持つ幾つかの周波数又は波長成分）を有することができる。また、或るスペクトルは２以上の他のスペクトルの混合（例えば、複数の光源から各々放出された放射の混合）の結果であり得ると理解されたい。
【００２３】
［００２３］本開示の目的のため、“カラー（色）”なる用語は、“スペクトル”なる用語と互換可能に使用されている。しかしながら、“カラー（色）”なる用語は、一般的に、観察者により知覚可能であるような放射の特性を主に指すように使用される（もっとも、この用い方は、この用語の範囲を限定する意図でない）。従って、“異なるカラー”なる用語は、異なる波長成分及び／又は帯域幅を持つ複数のスペクトルを黙示的に示す。また、“カラー（色）”なる用語は、白色及び非白色光の両方との関連で使用することもできると理解されたい。
【００２４】
［００２４］“色温度”なる用語は、通常、ここでは白色光との関連で使用されている。もっとも、このような使用は該用語の範囲を限定しようというものではない。色温度は、本質的に、白色光の特定の色含有量又は色合い（shade）を示す（例えば、赤みがかった、青みがかった等）。或る放射サンプルの色温度は、通常、実質的に当該放射サンプルと同一のスペクトルを放射する黒体放射体のケルビン（Ｋ）での温度により特徴付けられる。黒体放射体の色温度は、通常、約７００度Ｋ（典型的には、人の目にとり最初に見えると考えられている）から１０,０００度Ｋを超えるまでの範囲内に入る。白色光は、通常、１５００〜２０００度Ｋより上の色温度で知覚される。
【００２５】
［００２５］“照明固定具”又は“照明器具”なる用語は、ここでは、特定のフォームファクタ、アセンブリ若しくはパッケージでの１以上の照明ユニット又は複数の光源の構成又は配置を指すために入れ替え可能に使用されている。“照明ユニット”なる用語は、ここでは、同一又は異なるタイプの１以上の光源を含む装置を指すために使用されている。所与の照明ユニットは、光源（又は複数の光源）のための種々の取付配置、エンクロージャ／ハウジング配置及び形状、並びに／又は電気的及び機械的接続構造の何れかを有することができる。更に、所与の照明ユニットは、オプションとして、当該光源（又は複数の光源）の動作に関係する種々の他の部品（例えば、制御回路）に関連され得る（例えば、含む、結合される及び／又は一緒にパッケージ化される）。“ＬＥＤ照明ユニット”とは、上述したような１以上のＬＥＤ型光源を単独で又は他の非ＬＥＤ型光源との組み合わせで含む照明ユニットを指す。“多チャンネル”照明ユニットとは、異なるスペクトルの放射を各々発生するように構成された少なくとも２つの光源を含むＬＥＤの又は非ＬＥＤの照明ユニットを指し、上記異なる光源スペクトルの各々を当該多チャンネル照明ユニットの“チャンネル”と称することができる。
【００２６】
［００２６］“直視型照明器具”なる用語は、ここでは、照明固定具から放出される光が該固定具を観察者により直接見ることが可能な位置で出射するような種々の照明固定具を一般的に記述するために使用される。直視型照明器具は、少なくとも一部が観察者により直接見えるような１以上の発光面を含むことができる。直視型照明器具に含まれる光源は直視から遮断され得るものであると理解されるべきである。
【００２７】
［００２７］“コントローラ”なる用語は、ここでは、1以上の光源の動作に関係する種々の装置を広く記述するために使用されている。コントローラは、ここで述べる種々の機能を果たすために、多数の形態で（例えば、専用のハードウェアによる等）実施化することができる。“プロセッサ”は、ここで述べる種々の機能を実行するために、ソフトウェア（例えば、マイクロコード）を用いてプログラムすることができる１以上のマイクロプロセッサを使用するコントローラの一例である。コントローラは、プロセッサを使用するか又は使用しないで実施化することができ、幾つかの機能を実行するための専用のハードウェアと、他の機能を実行するためのプロセッサ（例えば、1以上のプログラムされたマイクロプロセッサ及び関連する回路）との組み合わせとして実施化することもできる。本開示の種々の実施態様で使用することが可能なコントローラ部品の例は、これらに限定されるものではないが、通常のマイクロプロセッサ、特定用途向け集積回路（ＡＳＩＣ）及びフィールド・プログラマブル・ゲート・アレイ（ＦＰＧＡ）を含む。
【００２８】
［００２８］種々の構成において、プロセッサ又はコントローラは１以上の記憶媒体（例えばＲＡＭ、ＰＲＯＭ、EPROM及びEEPROM等の揮発性及び不揮発性コンピュータメモリ、フロッピー(登録商標)ディスク、コンパクトディスク、光ディスク又は磁気テープ等であり、ここでは広く“メモリ”と称する）に関連され得る。幾つかの構成例において、上記記憶媒体は、１以上のプロセッサ及び／又はコントローラ上で実行された場合に本明細書で述べる機能の少なくとも幾つかを実行する1以上のプログラムによりコード化することができる。種々の記憶媒体は、当該記憶媒体上に記憶された1以上のプログラムをプロセッサ又はコントローラにロードして、ここで述べる本発明の種々の態様を実施することができるように、プロセッサ若しくはコントローラ内に固定され又は移送可能なものとすることができる。“プログラム”又は“コンピュータプログラム”なる用語は、ここでは、1以上のプロセッサ又はコントローラをプログラムするために使用することが可能な如何なるタイプのコンピュータコード（例えば、ソフトウェア又はマイクロコード）をも示すように汎用的な意味で使用されている。
【００２９】
［００２９］一ネットワーク構成例において、ネットワークに結合された1以上の装置は、該ネットワークに結合された1以上の他の装置のためのコントローラとして作用することができる（例えば、マスタ／スレーブ関係で）。他の構成例において、ネットワーク化された環境は、当該ネットワークに結合された装置の1以上を制御するように構成された1以上の専用のコントローラを含むことができる。一般的に、当該ネットワークに結合された複数の装置は、各々、通信媒体又は複数の媒体上に存在するデータにアクセスすることができる。しかしながら、所与の装置は、当該ネットワークと、例えば該装置に割り当てられた1以上の特定の識別子（例えば、“アドレス”）に基づいてデータを選択的に交換する（即ち、データを受信し及び／又はデータを送信する）ように構成されているという点で“アドレス指定可能”であり得る。
【００３０】
［００３０］ここで使用される“ネットワーク”なる用語は、２以上の装置（コントローラ又はプロセッサを含む）間の相互接続であって、何れかの２以上の装置の間の、及び／又は当該ネットワークに結合された複数の装置の間での情報（例えば、装置制御、データ記憶、データ交換等のための）の伝送を容易にする如何なる相互接続をも指すものである。容易に理解されるように、複数の装置を相互接続するのに適したネットワークの種々の構成は、種々のネットワークトポロジの何れかを含むと共に、種々の通信プロトコルの何れかを使用することができる。更に、本開示による種々のネットワークにおいて、２つの装置の間の何れか１つの接続は、２つのシステムの間の専用の接続を表すことができ、又は代わりに非専用接続を表すこともできる。当該２つの装置のための情報を伝送することに加えて、このような非専用接続は、必ずしも上記２つの装置のいずれかのためのものでない情報を伝送することができる（例えば、開放型ネットワーク接続）。更に、ここで述べる装置の種々のネットワークが、当該ネットワークを介しての情報伝送を容易化するために1以上の無線、有線／ケーブル及び／又は光ファイバリンクを使用することができることは容易に理解されよう。
【００３１】
［００３１］上述した概念及び後に詳述する追加の概念の全ての組み合わせ（斯かる概念が互いに矛楯しない限り）は、ここに開示される本発明の主題の一部であると意図されることが理解されるべきである。特に、この開示の最後に現れる請求項に記載の主題の全ての組み合わせは、ここに開示される本発明の主題の一部であると意図される。また、参照により本明細書に組み込まれる何れかの文献にも現れる、ここで明示的に使用される用語は、ここに開示される特定の概念と最も一貫性のある意味が付与されるべきであると理解されるべきである。
【００３２】
［００３２］尚、図面において同様の符号は、異なる図を通して、同様の部分を概して示している。また、各図は必ずしも寸法通りではなく、代わりに本発明の原理を解説するに当たり概して誇張されている。
【図面の簡単な説明】
【００３３】
【図１Ａ】［００３３］図１Ａは、一実施態様による照明器具の上面図を示す。
【図１Ｂ】［００３４］図１Ｂは、図１Ａの照明器具の切断線1A-1Aに沿う側断面図を示す。
【図２】［００３５］図２は、一実施態様による光の進行パターンを示した照明器具の側断面図を示す。
【図３】［００３６］図３は、一実施態様による他の光の進行パターンを示した図１Ａの照明器具の側断面図を示す。
【図４】［００３７］図４は、一実施態様による更に他の光の進行パターンを示した図１Ａの照明器具の側断面図を示す。
【図５】［００３８］図５は、照明器具の他の実施態様の側断面図を示す。
【図６】［００３９］図６は、照明器具の更に他の実施態様の側断面図を示す。
【図７】［００４０］図７は、照明器具の更に他の実施態様の側断面図を示す。
【図８】［００４１］図８は、照明器具の他の実施態様の側断面図を示す。
【図９】［００４２］図９は、照明器具の更に他の実施態様の側断面図を示す。
【図１０】［００４３］図１０は、照明器具の更に他の実施態様の側断面図を示す。
【図１１】［００４４］図１１は、照明器具の他の実施態様の側断面図を示す。
【図１２】［００４５］図１２は、照明器具の更に他の実施態様の側断面図を示す。
【図１３】［００４６］図１３は、照明器具の他の実施態様の上面図である。
【図１４】［００４７］図１４は、照明器具の更に他の実施態様の上面図である。
【図１５】［００４８］図１５は、照明器具の更に他の実施態様の上面図である。
【発明を実施するための形態】
【００３４】
［００４９］前述したように、直視型照明器具の１つの重要な特性は、個々の光源又は異なるカラーを視覚的に識別することができないような表面の均一な見え方である。直視型アプリケーションにおいて均一な見え方を達成するための既知の解決策は、しばしば、複雑で非効率的である。出願人は、直視型照明器具の発光面の均一性は混合室の組み合わせを採用することにより改善され得ることを認識及び理解した。これら混合室は、光の混合を行うと共に、当該混合室に含まれる光源から放出される光が上記発光面に直接当たることを防止する。上記に鑑み、本発明の種々の実施態様及び構成例は、第１光混合室と少なくとも１つの第２光混合室との組み合わせを用いて光を混合する装置及び方法に向けられたものである。
【００３５】
［００５０］図１Ａは、照明器具１００の一実施態様の上面図である。図１Ａに示されたように、該照明器具１００は第１光混合室１１０と、該第１室１１０に結合された第２光混合室１２０とを含んでいる。第２室１２０は、複数の光源１３０を含んでいる。光源１３０は、例えば類似の又は非類似のカラーのグループに配列された１以上のＬＥＤ１３２を用いて、組み合わせで幾つかの異なるカラーの光を発生するように構成することができる。後述されるように、光源１３０により放出された光は第２室１２０から第１室１１０へと進行し、ここで、該光の少なくとも一部が混合される。光出射面１１２は、第１室１１０に結合されると共に、第１室１１０内の光の少なくとも幾らかが該光出射面１１２を経て進行することを可能にし、該光出射面１１２が観察者により直接見ることができるように構成されている。
【００３６】
［００５１］幾つかの実施態様において、上記光源１３０は、伝統的な蛍光灯、高輝度放電（ＨＩＤ）ランプ及び白熱電球等の非ＬＥＤ光源を含むことができると理解されるべきである。更に、本発明の種々の実施態様により、上記の何れかを照明器具において単独で又は互いの及び／又はＬＥＤとの組み合わせで使用することもできる。幾つかの実施態様において、上記光源１３０は、照明ユニット又は複数の照明ユニット内に含めることができる。他の実施態様において、上記光源は多チャンネル照明ユニット又は複数の多チャンネル照明ユニットに含めることができる。
【００３７】
［００５２］図１Ｂは、図１Ａの照明器具１００の切断線1A-1Aに沿う側断面図である。第1室１１０は、概ね、奥行きＤ及び高さＨの寸法を有している。高さＨは、幾つかの実施態様では、約６センチメートル（cm）以下であり、該照明器具１００がロープロファイルを有することを可能にする。もっとも、６cmより大きな高さも採用することができると理解されるべきである。第２室１２０は、上記第１室１１０と連通する開口１３４、及び少なくとも１つの壁１３６を含んでいる。幾つかの実施態様において、壁１３６は寸法ｄ１だけ第１室１１０内に突出している。壁１３６は、光源１３０により放出された光（該光の一部が一点鎖線１４０により示されている）が光出射面１１２に直接当たることを防止するように構成されている。例えば、ＬＥＤ１３２から放出された光は当該ＬＥＤから幾つかの方向に進行することができるが、該ＬＥＤからα度の角度範囲内で進行する光（図１Ｂに示されるような）のみが、符号１４０に示される光の部分のように、開口１３４を介して第２室１２０から第１室１１０へと直接進行する。この構成において、ＬＥＤ１３２と光出射面１１２との間には視線が存在しないので、ＬＥＤ１３２から放出された光が光出射面１１２に直接当たることはできない。このことは、当該光が少なくとも第１室１１０と作用し合うことを強制し、該第１室において、当該光は光出射面１１２に到達する前に混合される。加えて、光源１３０により放出された光の幾らかは、オプションとして、第１室１１０に入る前に第２室１２０において混合することもできる。
【００３８】
［００５３］第２室１２０は第１室１１０内に突出しているので、光源１３０が光を発生している場合、第１室１１０内の壁１３６より上の領域は該第１室１１０の他の領域よりも暗い。更に、開口１３４の近くの領域は第１室１１０の他の領域よりも明るいと思われる。このように、第１室１１０の異なる領域における光の輝度の変化が存在し得る。一実施態様において、光出射面１１２は透光性拡散器を含む。幾つかの実施態様において、光出射面１１２の拡散特性は、第１室１１０における光の輝度の変化を、該光を、面１１２を出射する全ての光（例えば、照明器具１００から直接見える光）が輝度及びカラーに関して実質的に均一となるように均一に混合することにより補償する。結果として、個々の光源（例えば、ＬＥＤ１３２）及び該光源１３０により放出される個々のカラーは、光出射面１１２を直接見る観察者によっては識別することができない。
【００３９】
［００５４］上述した様に、照明器具１００の幾何学構造は、少なくとも第１室１１０内での光混合をもたらすと共に、光源１３０からの光が光出射面１１２に直接当たるのを防止する。幾つかの実施態様において、第１室１１０は第２室１２０より大きい。第１室１１０、第２室１２０、壁１３６及び光源１３０は、組み合わせで、少なくとも壁１３６が第１室１１０の高さＨに無関係に光が光出射面１１２に直接当たることを防止するという理由で、該照明器具１００が約６cm以下のロープロファイルを有することを可能にする。更に、光は光出射面を通って進む前に第１室１１０内で混合するように強いられ、このことは均一のカラーの且つ均一の明るさの光を生成する助けとなる。幾つかの実施態様において、壁１３６が第１室１１０内に突出する奥行きｄ１は、第２室１２０における光源１３０（例えば、ＬＥＤ１３２）の位置に従い変化させることができる。例えば、奥行きｄ１及び／又は光源１３０の位置は、光源１３０により放出された光が光出射面１１２に直接当たらないように変化させることができる。
【００４０】
［００５５］図２を参照すると、一実施態様において、照明器具１００は前記第２室１２０と同様の態様ではあるが、前記第１室１１０に対して該第１室１１０上の異なる位置において結合された第３光混合室１５０を含んでいる。第３室１５０は、第１室１１０内へと突出した少なくとも１つの壁１５６を含んでいる。第２室１２０は光源１３０の第１部分（例えば、ＬＥＤ又は複数のＬＥＤ１３２）を格納する一方、第３室１５０は光源１３０の第２部分（例えば、ＬＥＤ又は複数のＬＥＤ１５２）を格納している。光源１３０の上記第１部分は、全て、単一のカラーの光又は幾つかの異なるカラーの光を放出するように構成することができる。同様に、光源１３０の上記第２部分は単一のカラーの光（例えば、第１部分と同一の若しくは異なるカラー）又は幾つかの異なるカラーの光を放出するように構成することができる。第２室１２０及び／又は第３室１５０と同様の態様で、如何なる数の光混合室も第１室１１０に結合することができると理解されるべきである。更に、幾つかの実施態様において、各光混合室は１以上の照明ユニット及び／又は多チャンネル照明ユニットを含むことができる。幾つかの実施態様において、光源１３０（例えば、個々のＬＥＤ）の１以上を、上記照明ユニット及び／又は多チャンネル照明ユニットを形成するアセンブリに組み込むこともできる。
【００４１】
［００５６］一実施態様において、照明器具１００の第１室１１０は少なくとも１つの光反射面１１４を含む。光反射面（又は複数の光反射面）１１４は、例えば、第１室１１０の側壁又は底壁の上若しくは近傍に配置することができると共に、当該第１室１１０の概ね内側部分に向かって、該第１室１１０内の光が当該面１１４から離れるように反射するように面している。一例において、ＬＥＤ１３２は点線１４２により示される光を放出する一方、ＬＥＤ１５２は実線１４４により示される光を放出する。光１４２は第２室１２０から第１室１１０に入る一方、光１４４は第３室１５０から第１室１１０に入る。光１４２及び１４４は、光出射面１１２に到達する前に光反射面（又は複数の光反射面）１１４で１回以上反射することにより、第１室１１０内で少なくとも部分的に混合される。光反射面１１４は、幾つかの実施態様では、光拡散性反射面を含むことができ、該光拡散性反射面は当該面１１４から反射された光を幾つかの異なる方向に散乱させることにより当該光の混合を更に補助する。
【００４２】
［００５７］他の実施態様において、第２室１２０及び／又は第３室１５０は１以上の光反射面（図示略）を含む。内部の光反射面で反射されることにより、光１４２の幾らかは第２室１２０内で混合される一方、光１４４の幾らかは第３室１５０内で混合される。
【００４３】
［００５８］一実施態様において、光１４２は第１カラーの光である一方、光１４４は第１カラーとは異なる第２カラーの光である。光１４２、１４４の少なくとも幾らかは第１室１１０内の反射面１１４により、光１４２、１４４が光出射面１１２の共通点１４６に到達し、該光１４２、１４４を（従って異なるカラーを）該共通点１４６において混合させるように、反射される。光１４２、１４４の他の部分（図示略）は光出射面１１２上の異なる点に到達する。
【００４４】
［００５９］特に図２を参照して上述したように、幾つかの実施態様によれば、照明器具１００は任意の数の光混合室も含むことができる。図３を参照すると、一実施態様において、照明器具１００は第１室１１０及び第２室１２０を含む。照明器具１００の第１室１１０は少なくとも１つの光反射面１１４を含む。光反射面（又は複数の光反射面）１１４は、例えば、第１室１１０の側壁又は底壁の上若しくは近傍に配置することができると共に、当該第１室１１０の概ね内側部分に向かって、該第１室１１０内の光が当該面１１４で反射するように面している。一例において、ＬＥＤ１３２は点線１４０により示される光を放出する。該光１４０は第２室１２０から第１室１１０に入り、光出射面１１２に当たる前に光反射面（又は複数の光反射面）１１４で１回以上反射することにより第１室１１０内で混合される。光反射面１１４は、幾つかの実施態様では、光拡散性反射面を含むことができ、該光拡散性反射面は当該面１１４から反射された光を幾つかの異なる方向に散乱させることにより当該光の混合を更に補助する。他の実施態様において、第２室１２０は少なくとも１つの光反射面１２４を含む。ＬＥＤ１３２により放出された光１４０の幾らかは、第１室１１０に入る前に、第２室１２０の光反射面（又は複数の光反射面）１２４で反射することにより、該第２室１２０内で混合され得る。
【００４５】
［００６０］前述したように、第２室１２０は内部に少なくとも１つの光反射面を含むことができる。図４を参照すると、一実施態様において、鎖線（点線）１４６及び１４８で示すＬＥＤ１３２からの光は、該ＬＥＤ１３２から異なる方向に進み、光反射面１２４及び１１４で反射し、第２室１２０及び／又は第１室１１０内で混合する。光１４６、１４８の幾らかは、共通入射点１６０において光反射面１１４からライン１６２により示されるように同一の方向に反射し（即ち、光１４６及び１４８は該点１６０で反射した後重なり合い）、光出射面１１２上の点１６４に到達する。従って、光１６２は光１４６及び１４８の組み合わせを含む。例えば、光１４６及び１４８が異なるカラーであるなら、光１６２は該異なるカラーの混合色を含む。これは、光反射面１１４（及び、オプションとして光反射面１２４）での反射が拡散的であるから可能である。他の光（図示略）が光１６２と同様の態様で光出射面１１２の他の点に到達する場合、その結果は、光出射面１１２に到達する全ての又は略全ての光はカラーが実質的に均一であるということである。光出射面１１２は、幾つかの実施態様では、カラー及び輝度の均一さを更に改善するために当該光を更に混合させるように構成することができる。
【００４６】
［００６１］前述したように、光混合室（例えば、図１Ａ及び図１Ｂの第１光混合室１１０及び第２光混合室１２０）は、光を（特には異なるカラーの光を）混合するために使用することができる。図５を参照すると、一実施態様において、第１室１１０内には光出射面１１２と第２室１２０との間に透過性拡散器１７０が配置される。該透過性拡散器１７０は、該第１室１１０内を進行する光を該光が光出射面１１２に到達する前に、第１室１１０内の光を拡散させることにより更に混合させるように構成される。他の実施態様（図示略）において、照明器具１００は、オプションとして、第１室１１０内において光出射面１１２と第２室１２０との間に配置された複数の透過性拡散器を含むことができる。幾つかの実施態様において、透過性拡散器１７０は、複数の異なる方法のうちの１つにより光を混合するために、第１室１１０の内部に跨がって水平に又は他の角度で向けることができる。他の実施態様において、透過性拡散器１７０は第１室１１０の内部の一部にわたり延在することもできる。種々の実施態様において、複数の透過性拡散器の使用は、光出射面１１２において観察される光を一層完全に混合するように働き得る。
【００４７】
［００６２］図５を参照して上述した様に、照明器具１００の光混合特性を改善するために、透過性拡散器１７０等の他の光学エレメントをオプションとして該照明器具１００に含めることができる。幾つかの実施態様において、他のタイプの光学エレメント及び斯かるエレメントの配置を用いることができる。図６を参照すると、一実施態様において、第２室１２０の開口１３４内にはレンズ、プリズム、鏡面反射器又は拡散器１７２が配置される。該レンズ、プリズム、鏡面反射器又は拡散器１７２は、第２室１２０から第１室１１０へと進行する光を、該光が第１室１１０に到達する前に混合するように構成される。他の実施態様（図示略）において、レンズ、プリズム又は鏡面反射器１７２は、カラーの混合又は均一さを改善するために、ＬＥＤ１３２の１以上の上に、放出された際の光を混合又は方向変更するために（例えば、該光を第１混合室内の特定の位置又は複数の位置に向けるために）配置することができる。幾つかの実施態様において、第１室１１０内の透過性拡散器（又は複数の透過性拡散器）１７０は、開口１３４内に含まれるエレメント１７２と組み合わせて用いることもできる。
【００４８】
［００６３］例えば図２に示され、同図を参照して説明したように、照明器具１００は１以上の光反射面１１４を含むことができる。幾つかの実施態様において、光反射面（又は複数の光反射面）１１４は、図２に示されたもののように、第１室１１０及び／又は他の室（例えば、第２室１２０及び第３室１５０）の内側の側壁、上壁又は底壁と実質的に平行である。図７を参照すると、一実施態様において、第１室１１０の光反射面１１４の少なくとも幾つかは傾斜されている。他の実施態様（図示略）において、第２室１２０の光反射面の少なくとも幾つかは傾斜される。種々の光反射面を傾斜させることにより、対応する室（又は複数の室）内の光を、カラー及び輝度が均一な光を混合及び供給するのを補助すべく各光混合室内で数回及び／又は種々の異なる方向に反射するように調整することができる。
【００４９】
［００６４］図８を参照すると、他の実施態様において、第１室１１０の光反射面１１４の少なくとも幾つかは１以上の次元で湾曲される。上述した傾斜された反射面によるのと同様に、反射面（又は複数の反射面）１１４の湾曲を調整することは、当該反射面から反射される光の反射回数及び／又は方向を変化させることにより混合を補助する。幾つかの実施態様において、光反射面（又は複数の光反射面）１１４は隆起及び／又は他のテクスチャ（図示略）を含むことができ、これら隆起及び／又はテクスチャは第１室１１０及び／又は第２室１２０内に均一に又は不均一に分布させることができる。このような隆起又はテクスチャは、面（又は複数の面）１１４の多様な反射特性を用いて光の混合を更に改善するために用いることができる。
【００５０】
［００６５］図９を参照すると、一実施態様において、照明器具１００の第１室１１０の１以上の側壁は内側又は外側に向かって張り出される。側壁は真っ直ぐ又は湾曲されたものとすることができる。幾つかの実施態様において、張り出された側壁は、当業者により理解されるように、図７及び８の傾斜された又は湾曲された光反射面を参照して上述したものと同様の利益をもたらす。
【００５１】
［００６６］前述したように、幾つかの実施態様において、第２室１２０（及び図２に示された第３室１５０等の他の室）は、例えば図１Ｂの実施態様に示されるように、幾らかの距離ｄ１だけ第１室１１０内に突出することができる。種々の光混合室の他の幾何学的構造も可能である。図１０を参照すると、一実施態様において、第２室１２０は当該照明器具１００の第１室１１０内に完全に収容されている。この実施態様において、第２室１２０の一端は第１室１１０の側壁と面一であり、当該照明器具１００が相対的に小型の寸法となることを可能にしている。図示された実施態様によれば、壁１３６は光源（例えば、ＬＥＤ１３２）から放出された光が光出射面１１２に直接当たることを防止するように構成されている。
【００５２】
［００６７］他の幾何学構造が図１１に示され、ここでは、第２室１２０は一実施態様によれば当該照明器具１００の第１室２００の外部にある。この構成において、壁１３６は第１室１１０内に突出することはない。図１２を参照すると、更に他の実施態様において、ＬＥＤ１３２は上方に向く（図１Ｂの照明器具１００に示されたように）代わりに、第１室１１０の中心に向かって面するように向けられている。このように、幾つかの実施態様によれば、第２室１２０及び／又は光源（例えば、ＬＥＤ１３２を含む）の位置及び／又は向きは多様であり得、当該照明器具１００の設計、構成及び性能の柔軟性を提供する。例えば、ＬＥＤ１３２を第１室１１０の方向に向けることにより、一層多くの光が第１室１１０に直接入射することができ（ＬＥＤ１３２の放出特性に依存して）、このことは光の一層効率的な使用をもたらすことができる。
【００５３】
［００６８］図１３、図１４及び図１５は、複数の小さな第２室１２０を有する照明器具１００の幾つかの実施態様を示す。例えば、第２室１２０は、第１室１１０の交互の側上に（図１３におけるように）、全て第１室１１０の同一の側上に（図１４におけるように）、又は第１室１１０の反対の端部上に（図１５におけるように）配置することができる。異なる用途（例えば、照明器具１００を非常に小さな不均一な形状の空間内に取り付ける）に対して照明器具１００の寸法及び形状を適合させるために、種々の方向に照明を供給するように又は他の審美的特性をもたらすように照明器具１００を適合させるために、第２室１２０の他の配置も可能であると理解されるべきである。一実施態様において、照明器具１００は、例えば何の次元にも数センチメートル程度に小さい又は部屋の天井ほどに大きい照明固定具を構築するために第１室１１０に如何なる数の第２室１２０も結合することができるという意味で、モジュール型となるように構成される。
【００５４】
［００６９］幾つかの実施態様において、前記光源１３０は調整可能な白色、ＲＧＢ及び／又はRGBWAライトを含む。例えば、光源１３０は１５個のＬＥＤを５個毎の３つのグループ（各グループは異なる第２室１２０内に格納される）で含むことができる。各グループのＬＥＤは、琥珀色、緑色、青色、赤色及び白色ＬＥＤ、又は他のタイプ、カラー若しくは数のＬＥＤを含むことができる。ＬＥＤの他の組み合わせも、種々のカラー及び量の光出力を供給するために可能である。
【００５５】
［００７０］上述した実施態様の各々によれば、第１室１１０及び第２室１２０の寸法は、相対的に変化させることが可能である。幾つかの実施態様によれば、第１室１１０は、該第１室に結合された１以上の第２室１２０の寸法に対して大きな室である。更に、各々が１以上の光源を含む第２室及び第３室が第１室に結合される場合、第２室の寸法は第３室の寸法から変化させることができる。
【００５６】
［００７１］上述した実施態様の各々によれば、１以上のＬＥＤ直視型照明器具１００を、ネットワークを介してコントローラに結合することができる。該ネットワークは上記コントローラと各照明器具との間の通信経路を提供する。例えば、幾つかの照明器具を、大きな空間にわたって光を供給するように配置することができる。これらの照明器具は、例えば当該照明器具の何れかの１以上の輝度及び／又はカラーを制御するために、上記コントローラにより個別に、グループで又は全て一緒に制御することができる。
【００５７】
［００７２］以上、本発明の幾つかの実施態様を本明細書において説明及び図示したが、当業者であれば、ここに説明した機能を実行し、及び／又はここで述べた結果及び／又は利点の1以上を得るための種々の他の手段及び／又は構成に容易に想到するであろう。このような変更及び／又は修正の各々は、ここに述べた本発明の実施態様の範囲内であると見なされる。もっと一般的に言うと、当業者であれば、ここに述べた全てのパラメータ、寸法、材料及び構成は例示的なものであることを意味し、実際のパラメータ、寸法、材料及び／又は構成は、本発明の教示が用いられる特定の用途に依存するであろうことを容易に理解するであろう。当業者であれば、ここで述べた本発明の特定の実施態様に対する多くの均等物を認識し、又は通例の実験を用いるだけで確認することができるであろう。従って、上述した実施態様は例示としてのみ提示されたものであり、添付請求項及びその均等物の範囲内で、本発明の実施態様は、特定的に説明及び請求項に記載したもの以外で実施することができると理解されるべきである。本開示の発明的実施態様は、ここで述べた各フィーチャ、システム、物品、材料、キット及び／又は方法に向けられたものである。更に、２以上の斯様なフィーチャ、システム、物品、材料、キット及び／又は方法の如何なる組み合わせも、このようなフィーチャ、システム、物品、材料、キット及び／又は方法が相互に矛楯しないならば、本開示の発明の範囲内に含まれるものである。
【００５８】
［００７３］ここで定められ及び使用された全ての定義は、辞書の定義、参照により組み込まれた文献における定義及び／又は定義された用語の通常の意味を規制すると理解されるべきである。
【００５９】
［００７４］本明細書及び請求項で使用される単数形は、そうでないと明示しない限り、“少なくとも１つの”を意味すると理解されるべきである。
【００６０】
［００７５］明細書及び請求項に使用される“及び／又は”なる語句は、そのように結合されたエレメントの“何れか一方又は両方”を、即ち或る場合には接続的に存在し、他の場合には分離的に存在するエレメントを意味すると理解されるべきである。“及び／又は”で記載された複数のエレメントは、同様の方法で、即ち、そのように連結されたエレメントの“１以上”と見なされるべきである。“及び／又は”なる語句により特別に識別されたエレメント以外の他のエレメントも、該特別に識別されたエレメントに関係するか又は関係しないかに拘わらず、オプションとして存在し得る。
【００６１】
［００７６］本明細書及び請求項で使用される場合、１以上のエレメントのリストを参照する“少なくとも１つの”なる語句は、該エレメントのリストにおけるエレメントの何れか１以上から選択された少なくとも１つのエレメントを意味するものであり、該エレメントのリスト内の各及び全エレメントの少なくとも１つを必ずしも含むものではなく、該エレメントのリスト内のエレメントの如何なる組み合わせをも除くものではないと理解されるべきである。この定義は、上記“少なくとも１つの”なる語句が参照する上記エレメントのリスト内で特別に識別されるエレメント以外のエレメントが、上記の特別に識別されたエレメントに関係するか又は関係しないかに拘わらず、オプションとして存在することも可能にする。
【００６２】
［００７７］明確にそうでないと示さない限り、請求項に記載された２以上のステップ又は動作を含む如何なる方法においても、該方法のステップ又は動作の順序は、これらステップ又は動作が記載された順序に必ずしも限定されるものではないと理解されるべきである。また、請求項において括弧内に記載された符号（もし、あるなら）は、便宜のためにのみ設けられたものであり、如何なる形でも当該請求項を限定するものとみなしてはならない。
【図１Ａ】
2014533876.tif 000003
【図１Ｂ】
2014533876.tif 000004
【図２】
2014533876.tif 000005
【図３】
2014533876.tif 000006
【図４】
2014533876.tif 000007
【図５】
2014533876.tif 000008
【図６】
2014533876.tif 000009
【図７】
2014533876.tif 000010
【図８】
2014533876.tif 000011
【図９】
2014533876.tif 000012
【図１０】
2014533876.tif 000013
【図１１】
2014533876.tif 000014
【図１２】
2014533876.tif 000015
【図１３】
2014533876.tif 000016
【図１４】
2014533876.tif 000017
【図１５】
2014533876.tif 000018
【国際調査報告】
2014533876.tif 000019
2014533876.tif 000020
2014533876.tif 000021
2014533876.tif 000022